(57)【要約】  ある撮影者が被撮影者端末を保持する被撮影者（被写体）を撮影する場合、撮影者は、撮影情報生成部１１により、撮影者の個人情報や撮影条件等を含む撮影情報を生成する。撮影情報送信部１３は、生成された撮影情報を送信する為、通信を開始する。通信が開始されると、撮影情報送信部１３は、撮影者情報の一部もしくは全部を被撮影者端末２に送信する。被撮影者の被撮影者端末２の撮影情報受信部２１において、撮影情報を受信すると、被撮影者に撮影情報が提示され、被撮影者は自分が撮影されようとしていることや、どのように撮影されようとしているのかを確認することができる。
2007116736.tif 000002
【特許請求の範囲】
【請求項１】
撮影管理システムであって、
撮影者に保持される撮影者端末と、被撮影者又は被写体に保持される被撮影者端末とを有し、
前記撮影者端末は、
被撮影者又は被写体の撮影に関する撮影情報を生成する撮影情報生成手段と、
前記被撮影者端末に前記撮影情報を送信する撮影情報送信手段と
を有し、
前記被撮影者端末は、
前記撮影情報を受信する撮影情報受信手段と、
前記受信した撮影情報を提示する提示手段と
を有することを特徴とする撮影管理システム。
【請求項２】
前記被撮影者端末は、被撮影者又は被写体に関する被撮影者情報を、撮影者端末に送信する被撮影者情報送信手段を有し、
前記撮影者端末は、前記被撮影者情報を受信する手段と、前記受信した被撮影者情報を提示する提示手段と、前記撮影情報を変更する変更手段と、前記変更された撮影情報を保存する撮影情報保存手段とを有する
ことを特徴とする請求項１に記載の撮影管理システム。
【請求項３】
前記撮影情報に基づいて、撮影に対しての課金を管理する課金管理手段を有することを特徴とする請求項１に記載の撮影管理システム。
【請求項４】
前記撮影情報又は前記被撮影者情報に基づいて、撮影画像の公開又は利用の制限を管理する制限管理手段を有することを特徴とする請求項１に記載の撮影管理システム。
【請求項５】
前記制限管理手段は、撮影画像の利用に基づいた課金を行うように構成されていることを特徴とする請求項４に記載の撮影管理システム。
【請求項６】
画像管理システムであって、
撮影する際に作成された撮影情報に基づいて、前記撮影情報に対応する撮影画像の利用状況を管理し、撮影画像の利用状況に基づいた課金を行う撮影画像利用管理手段を有することを特徴とする画像管理システム。
【請求項７】
撮影端末であって、
被写体の撮影に関する撮影情報を生成する撮影情報生成手段と、
被撮影者の端末に前記撮影情報を送信する撮影情報送信手段と
を有することを特徴とする撮影端末。
【請求項８】
送信されてくる被撮影者又は被写体に関する被撮影者情報を受信する手段と、
前記受信した被撮影者情報を提示する提示手段と、
前記撮影情報を変更する変更手段と、
前記変更された撮影情報を保存する撮影情報保存手段と
を有することを特徴とする請求項７に記載の撮影端末。
【請求項９】
前記撮影情報を、ネットワークに接続されたサーバに送信する手段を有することを特徴とする請求項７に記載の撮影端末。
【請求項１０】
被撮影者端末であって、
撮影者から送信されてくる、被撮影者又は被写体の撮影に関する撮影情報を受信する撮影情報受信手段と、
前記受信した撮影情報を提示する提示手段と
を有することを特徴とする被撮影者端末。
【請求項１１】
画像管理サーバであって、
撮影する際に作成された撮影情報に基づいて、前記撮影情報に対応する撮影画像の利用状況を管理し、撮影画像の利用状況に基づいた課金を行う撮影画像利用管理手段を有することを特徴とする画像管理サーバ。
【請求項１２】
撮影管理方法であって、
撮影者の端末が、被撮影者又は被写体の撮影に関する撮影情報を生成し、この撮影情報を被撮影者の端末に送信する処理と、
前記被撮影者の端末が、前記撮影情報を受信し、前記受信した撮影情報を確認する処理と
を有することを特徴とする撮影管理方法。
【請求項１３】
前記被撮影者の端末が、被撮影者又は被写体に関する被撮影者情報を、前記撮影者の端末に送信する処理と、
前記撮影者の端末が、前記被撮影者情報を受信し、前記被撮影者情報に基づいて変更された撮影情報を変更し、変更した撮影情報を保存する処理と
を有することを特徴とする請求項１２に記載の撮影管理方法。
【請求項１４】
撮影管理プログラムであって、
被写体の撮影に関する撮影情報を生成する処理と、
被撮影者の端末に前記撮影情報を送信する処理と
を情報処理装置に実行させることを特徴とする撮影管理プログラム。
【請求項１５】
送信されてくる被撮影者又は被写体に関する被撮影者情報を受信する処理と、
前記受信した被撮影者情報を提示する処理と、
前記被撮影者情報に基づいて変更された撮影情報を変更する処理と、
前記変更された撮影情報を保存する処理と
を情報処理装置に実行させることを特徴とする請求項１４に記載の撮影管理プログラム。
【請求項１６】
前記撮影情報を、ネットワークに接続されたサーバに送信する処理を情報処理装置に実行させることを特徴とする請求項１４に記載の撮影管理プログラム。
【請求項１７】
撮影管理プログラムであって、
撮影者から送信されてくる、被撮影者又は被写体の撮影に関する撮影情報を受信する処理と、
前記受信した撮影情報を提示する処理と
を情報処理装置に実行させることを特徴とする撮影管理プログラム。
【発明の詳細な説明】
【技術分野】
【０００１】
本発明は撮影管理システム及び撮影管理方法と、それらに用いられる装置及びプログラムに関し、特に、撮影される被撮影者が撮影されようとしていることが確認できる撮影管理システム及び撮影管理方法と、それらに用いられる装置及びプログラムに関する。
【背景技術】
【０００２】
近年、高画質な撮影画像が簡単に得られるカメラの普及により、個人のプライバシーや肖像権の侵害行為が問題となっている。【０００３】
そこで、個人のプライバシーや肖像権を保護するため、撮影を制限したり、撮影に対する条件を撮影の前に周知させたりするため、被写体に関する情報を発信する端末を被写体に保持させ、カメラ等に読み取らせる技術が提案されている（特許文献１）。【０００４】
この技術は、カメラで撮影可能な被写体に、当該被写体に関する情報を発信する情報発信装置を備えると共に、カメラに、撮影管理サーバと通信する通信手段と、情報発信装置からの発信情報を取得する情報取得手段と、当該情報取得手段及び撮影管理サーバで取得した情報の内容に基づいて、カメラによる撮影を制御する撮影制御手段とを備えている。【０００５】
これにより、情報発信装置が備えられた被写体をカメラで撮影する際には、そのカメラに備えられた情報取得手段が情報発信装置からの発信情報を取得し、撮影制御手段がその情報取得手段で取得した情報又はそのカメラと情報通信可能な撮影管理サーバからの情報に基づいてそのカメラによる撮影を制御することができる。例えば、カメラによって被写体を撮影する際にその被写体に備えられた情報発信装置から取得した発信情報にその被写体の撮影を禁止する旨の情報が含まれているときは、そのカメラに設けられた撮影制御手段がその被写体の撮影を強制的に制限することとなり、これによって、不正な撮影を防ぐことができる。
【特許文献１】特開２００５−２２３６０２号公報
【発明の開示】
【発明が解決しようとする課題】
【０００６】
しかしながら、特許文献１の技術は、被撮影者から撮影者に一方向に対して情報を発信するものである。すなわち、撮影が許可されているものであっても、撮影される側は撮影されることを知らずに撮影されることとなる。【０００７】
また、撮影が許可されているものであっても、特に、被写体が人物である場合、どのように撮影されるのか知りたいものである。【０００８】
そこで、上記課題を鑑みて発明されたものであって、その目的は撮影もしくは撮影データの保存に先立って、撮影に関する撮影情報を被撮影者が知ることができる技術を提供することにある。【０００９】
また、本発明の目的は、撮影情報に基づいて、撮影画像の管理を行うことができる技術を提供することにある。
【課題を解決するための手段】
【００１０】
上記課題を解決する第１の発明は、撮影管理システムであって、撮影者に保持される撮影者端末と、被撮影者又は被写体に保持される被撮影者端末とを有し、前記撮影者端末は、被撮影者又は被写体の撮影に関する撮影情報を生成する撮影情報生成手段と、前記被撮影者端末に前記撮影情報を送信する撮影情報送信手段とを有し、前記被撮影者端末は、前記撮影情報を受信する撮影情報受信手段と、前記受信した撮影情報を提示する提示手段とを有することを特徴とする。【００１１】
上記課題を解決する第２の発明は、上記第１の発明において、前記被撮影者端末は、被撮影者又は被写体に関する被撮影者情報を、撮影者端末に送信する被撮影者情報送信手段を有し、前記撮影者端末は、前記被撮影者情報を受信する手段と、前記受信した被撮影者情報を提示する提示手段と、前記撮影情報を変更する変更手段と、前記変更された撮影情報を保存する撮影情報保存手段とを有することを特徴とする。【００１２】
上記課題を解決する第３の発明は、上記第１又は第２の発明において、前記撮影情報に基づいて、撮影に対しての課金を管理する課金管理手段を有することを特徴とする。【００１３】
上記課題を解決する第４の発明は、上記第１から第３のいずれかの発明において、前記撮影情報又は前記被撮影者情報に基づいて、撮影画像の公開又は利用の制限を管理する制限管理手段を有することを特徴とする。【００１４】
上記課題を解決する第５の発明は、上記第４の発明において、前記制限管理手段は、撮影画像の利用に基づいた課金を行うように構成されていることを特徴とする。【００１５】
上記課題を解決する第６の発明は、画像管理システムであって、撮影する際に作成された撮影情報に基づいて、前記撮影情報に対応する撮影画像の利用状況を管理し、撮影画像の利用状況に基づいた課金を行う撮影画像利用管理手段を有することを特徴とする。【００１６】
上記課題を解決する第７の発明は、撮影端末であって、被写体の撮影に関する撮影情報を生成する撮影情報生成手段と、被撮影者の端末に前記撮影情報を送信する撮影情報送信手段とを有することを特徴とする。【００１７】
上記課題を解決する第８の発明は、上記第７の発明において、送信されてくる被撮影者又は被写体に関する被撮影者情報を受信する手段と、前記受信した被撮影者情報を提示する提示手段と、前記撮影情報を変更する変更手段と、前記変更された撮影情報を保存する撮影情報保存手段とを有することを特徴とする。【００１８】
上記課題を解決する第９の発明は、上記第７又は第８の発明において、前記撮影情報を、ネットワークに接続されたサーバに送信する手段を有することを特徴とする。【００１９】
上記課題を解決する第１０の発明は、被撮影者端末であって、撮影者から送信されてくる、被撮影者又は被写体の撮影に関する撮影情報を受信する撮影情報受信手段と、前記受信した撮影情報を提示する提示手段とを有することを特徴とする。【００２０】
上記課題を解決する第１１の発明は、画像管理サーバであって、撮影する際に作成された撮影情報に基づいて、前記撮影情報に対応する撮影画像の利用状況を管理し、撮影画像の利用状況に基づいた課金を行う撮影画像利用管理手段を有することを特徴とする。【００２１】
上記課題を解決する第１２の発明は、撮影管理方法であって、撮影者の端末が、被撮影者又は被写体の撮影に関する撮影情報を生成し、この撮影情報を被撮影者の端末に送信する処理と、前記被撮影者の端末が、前記撮影情報を受信し、前記受信した撮影情報を確認する処理とを有することを特徴とする。【００２２】
上記課題を解決する第１３の発明は、上記第１２の発明において、前記被撮影者の端末が、被撮影者又は被写体に関する被撮影者情報を、前記撮影者の端末に送信する処理と、前記撮影者の端末が、前記被撮影者情報を受信し、前記被撮影者情報に基づいて変更された撮影情報を変更し、変更した撮影情報を保存する処理とを有することを特徴とする。【００２３】
上記課題を解決する第１４の発明は、撮影管理プログラムであって、被写体の撮影に関する撮影情報を生成する処理と、被撮影者の端末に前記撮影情報を送信する処理とを情報処理装置に実行させることを特徴とする。【００２４】
上記課題を解決する第１５の発明は、上記第１４の発明において、送信されてくる被撮影者又は被写体に関する被撮影者情報を受信する処理と、前記受信した被撮影者情報を提示する処理と、前記被撮影者情報に基づいて変更された撮影情報を変更する処理と、前記変更された撮影情報を保存する処理とを情報処理装置に実行させることを特徴とする。【００２５】
上記課題を解決する第１６の発明は、上記第１４又は第１５の発明において、前記撮影情報を、ネットワークに接続されたサーバに送信する処理を情報処理装置に実行させることを特徴とする。【００２６】
上記課題を解決する第１７の発明は、撮影管理プログラムであって、撮影者から送信されてくる、被撮影者又は被写体の撮影に関する撮影情報を受信する処理と、前記受信した撮影情報を提示する処理とを情報処理装置に実行させることを特徴とする。
【発明の効果】
【００２７】
本発明によれば、被撮影者は自分が撮影されようとしていることや、どのように撮影されようとしているのかを確認することができ、プライバシーや肖像権の侵害から守ることができる。
【図面の簡単な説明】
【００２８】
【図１】図１は第１の実施の形態の構成を示す図である。
【図２】図２は第１の実施の形態の動作フローチャートである。
【図３】図３は第２の実施の形態の構成を示す図である。
【図４】図４は第４の実施の形態の構成を示す図である。
【図５】図５は第４の実施の形態の他の構成を示す図である。
【符号の説明】
【００２９】
１        撮影装置
２        被撮影者端末
３        管理サーバ
１１      撮影情報生成部
１２      撮影情報保存部
１３      撮影情報送信部
１４      被撮影者情報受信部
１５      表示部
１６      撮影部
２１      撮影情報受信部
２２      被撮影者情報送信部
２３      表示部
【発明を実施するための最良の形態】
【００３０】
本発明の第１の実施の形態を説明する。【００３１】
図１は第１の実施の形態における撮影管理システムの構成を示した図である。【００３２】
図１に示される如く、撮影管理システムは、撮影者が保持する撮影装置１と被撮影者（被写体）が保持する被撮影者端末２とから構成される。尚、被撮影者（被写体）は、人物や動産、不動産等、撮影できるものであれば良い。【００３３】
まず、撮影装置１の構成について説明する。【００３４】
撮影装置１は、デジタルカメラに代表されるカメラ等であり、撮影情報生成部１１と、撮影情報保存部１２と、撮影情報送信部１３と、被撮影者情報受信部１４と、表示部１５と、撮影部１６とを備える。【００３５】
撮影情報生成部１１は、撮影者の情報や、撮影の条件、撮影方法に関する情報である撮影情報を生成する手段である。ここで、撮影情報とは、撮影者の個人情報（氏名、年齢、住所、所属、連絡先など）、撮影料金の支払い方法、位置情報（被撮影者から見てのどの位置から撮影するか等）、姿勢情報（カメラの方向、例えば、上下方向、左右方向、回転方向等）、撮影方法やレンズの種類（画角、ズーム、解像度、シャッタースピード、ホワイトバランス、露出、ストロボの有無、使用フィルタ等）、撮影枚数、撮影時間、サンプル撮影画像やプレビュー撮影画像の提供の有無、撮影した撮影画像の第３者への利用条件（第３者への撮影画像の公開の許可又は不許可、撮影画像を利用する利用料金、撮影画像の配布制限等）等である。これらの情報のうち、撮影方法に関する情報を生成するため、撮影情報生成部１１は、撮影装置１の姿勢情報等を取得する位置計算部１１１と、撮影部１６から撮影パラメータを取得するパラメータ取得部１１２とを備える。尚、撮影情報は、送信する際、又は撮影毎に生成しても良いし、撮影者等の個人情報等については予め登録しておくようにしても良い。【００３６】
撮影情報保存部１２は、撮影情報生成部１１により生成された撮影情報が記録される記録部であり、ハードディスクや、不揮発性メモリ（フラッシュメモリやＳＤカード）等である。【００３７】
撮影情報送信部１３は、被撮影者（被写体）が保持する被撮影者端末２に撮影情報を送信する手段であり、例えば、無線LAN通信機能を備えている。【００３８】
被撮影者情報受信部１４は、例えば、無線LAN通信機能を備え、後述する被撮影者情報を受信し、表示部１５に被撮影者情報を表示する手段である。【００３９】
表示部１５は、ＬＣＤ等の表示手段であり、少なくとも受信した被撮影者情報が表示され、それらの情報の確認に用いられる。【００４０】
撮影部１６は、既知の撮像素子や、画像処理部等から構成される。【００４１】
次に、被撮影者端末２の構成について説明する。【００４２】
被撮影者端末２は、被撮影者（被写体）が保持し、撮影情報受信部２１と、被撮影者情報送信部２２と、表示部２３とを備える。【００４３】
撮影情報受信部２１は、例えば、無線LAN通信機能を備え、撮影装置１の撮影情報送信部１３から送信される撮影情報を受信する手段である。【００４４】
被撮影者情報発信部２２は、例えば、無線LAN通信機能を備え、撮影装置１に被撮影者情報を送信するものである。ここで、被撮影者情報とは、被撮影者（被写体）の撮影許可の情報や、被撮影者（被写体）の撮影に関する情報等であって、例えば、被撮影者（被写体）の撮影許可又は不許可、被撮影者（被写体）の個人情報（氏名、年齢、住所、所属、連絡先など）や、被撮影者（被写体）の位置情報（緯度、経度、時刻）、被撮影者（被写体）の姿勢情報（複数のセンサーを用いた各関節の角度）、ファッションデータ（被写体の商品名や、ブランド、ショップ名、被撮影者が身に着けている洋服、バッグ、アクセサリーの名称）、被撮影者（被写体）の３次元形状、顔データ、撮影を禁止した場合の代替画像、撮影した画像を暗号化するための暗号鍵、撮影画像の公開制限に関する情報（撮影不許可や、撮影のみ許可するが、公開不許可等の情報）、撮影料金、肖像権料、撮影料金の授受方法、撮影を許可するカメラ位置やカメラ方向（上下方向（例えば、水平方向を角度０度として±30度以内という制限）、左右方向（例えば、正面方向を角度０度として±100度以内という制限）、回転方向（例えば、制限なし）、カメラパラメータ（画角（例えば、被写体の映像中での大きさ、精度の制限）、ズーム（例えば、部分的なズームの制限）、撮影解像度、シャッタースピード、ホワイトバランス、露出、ストロボの有無、使用フィルタ等の情報）、許可する撮影枚数や撮影時間等の情報である。尚、これらの情報は全て含む必要はなく、例えば、送信されてきた撮影情報に返答する形式、例えば、要求される撮影条件に許可又は不許可かる形で被撮影者情報を生成して撮影装置１に送信しても良い。【００４５】
表示部２３は、ＬＣＤ等の表示手段であり、受信した撮影情報の確認に用いられる。【００４６】
次に、上述のように構成された撮影管理システムの動作を説明する。【００４７】
図２は、第１の実施の形態における撮影管理システムの動作フローチャートである。【００４８】
まず、被撮影者の被撮影者端末２の撮影情報受信部２１は、ESSID（Extended Service Set Identifier）=”PhotoRestricted”が設定されており、接続待ち状態にあるものとする。【００４９】
ここで、ある撮影者が被撮影者端末を保持する被撮影者（被写体）を撮影する場合、撮影者は、撮影情報生成部１１により、撮影者の個人情報や撮影条件等を含む撮影情報を生成する（Ｓｔｅｐ１００）。【００５０】
撮影情報送信部１３は、生成された撮影情報を送信する為、SSID=”PhotoRestricted”の無線LANアクセスポイントを発見する。そして、SSID=PhotoRestrictedの無線ＬＡＮアクセスポイントが発見した場合、無線LANのネットワーク接続を行い、通信を開始する（Ｓｔｅｐ１０１）。尚、通信の際、上述したESSIDの代わりに、BSSID（Basic Service Set Identifier）やESS-IDステルスを用いたり、無線LANに暗号鍵（WEP、WPA、WPA2,証明書）を設定し、接続そのものを制限するようにしてもよい。【００５１】
通信が開始されると、撮影情報送信部１３は、撮影情報の一部もしくは全部を被撮影者端末２に送信する（Ｓｔｅｐ１０２）。【００５２】
被撮影者の被撮影者端末２の撮影情報受信部２１において、撮影情報を受信すると（Ｓｔｅｐ１０３）、被撮影者に撮影情報が提示され（Ｓｔｅｐ１０４）、被撮影者は自分が撮影されようとしていることや、どのように撮影されようとしているのかを確認することができ、プライバシーや肖像権の侵害から守ることができる。【００５３】
次に、被撮影者は、被撮影者端末２を用いて、撮影の許可又は撮影の不許可、撮影の許可をする場合の撮影条件の指定や撮影料金の支払い等に関する情報である被撮影者情報を、撮影者の撮影装置１に送信する（Ｓｔｅｐ１０５）。【００５４】
撮影者の撮影装置１の被撮影者情報受信部１４は、被撮影者情報を受信し（Ｓｔｅｐ１０６）、受信した被撮影者情報が撮影者に提示される（Ｓｔｅｐ１０７）。【００５５】
撮影者は、提示された被撮影者情報に基づいて、撮影が許可されているのか、又、許可されていても所定の条件下で撮影が許可される等の情報を知ることができる。この際、撮影対象が複数であり、その一部が撮影不許可である場合、撮影者の位置情報使って、撮影が不許可の被撮影者の位置を液晶画面上に枠を付けて重畳表示するようにしても良い。また、不許可事項のみ液晶の明るさを変えたり、グレイスケールで表示したりするなどの手段で明示するようにしても良い。【００５６】
提示された被撮影情報が撮影不許可である場合（Ｓｔｅｐ１０８）、撮影不可の表示を行う。また、撮影装置１に警告手段を設け、被撮影者情報に基づいて、撮影不許可の場合は警告を発するようにしても良い。【００５７】
一方、一部について撮影不許可の場合には（Ｓｔｅｐ１１０）、提示された撮影条件に合致するように撮影条件等を変更し（Ｓｔｅｐ１１１）、取得した被撮影情報に撮影画像の管理に必要な情報、例えば、課金情報や、肖像権に管理に関する情報等が含まれている場合には、これらの情報を撮影情報に含め、撮影情報を撮影情報保存部１５に保存する（Ｓｔｅｐ１１２）。尚、保存される撮影情報を、再度、確認のために被撮影者端末２に送信するようにしても良い。【００５８】
撮影情報が保存されると、撮影者は撮影を行う（Ｓｔｅｐ１１３）。このとき、撮影情報が提示された全ての撮影条件に合致しない場合には、撮影をできなくなるように撮影部１６をロックするようにしても良い。また、撮影情報の一部又は全部をEXIFなどの形式で撮影画像とあわせて保存しても良い。更に、撮影不許可の部分を非撮影者から提供される代替画像に置換することで、肖像権の問題を回避した画像を得ることも可能である。【００５９】
上述の動作を具体的な例で説明すると、ある撮影者が被撮影者端末を保持する被撮影者（被写体）を撮影する場合、撮影者は、撮影情報生成部１１により、撮影情報を生成する。ここでは、生成された撮影情報が“撮影者  ＡＡ  太郎”、“住所  東京都〜”、“撮影方法  正面から撮影”、“撮影料金  無料”、“利用制限  なし”を含むものとする。【００６０】
撮影情報送信部１３は、生成された撮影情報を送信する為、通信を開始し、撮影者情報を被撮影者端末２に送信する。【００６１】
被撮影者の被撮影者端末２の撮影情報受信部２１において、撮影情報を受信すると、撮影情報である“撮影者  ＡＡ  太郎”、“住所  東京都〜”、“撮影方法  正面から撮影”、“撮影料金  無料”、“利用制限  なし”が提示される。この情報により、被撮影者は“撮影者  ＡＡ  太郎”により撮影されようとしていることや、正面から撮影されようとしているのかを確認することができる。【００６２】
次に、被撮影者は、被撮影者端末２を用いて、撮影の許可又は撮影の不許可、撮影の許可をする場合の撮影条件の指定や撮影料金の支払い等に関する情報である被撮影者情報を、撮影者の撮影装置１に送信する。ここでは、予め用意しておいた被撮影者情報である“肖像権ＩＤ    １２３”、“撮影許可”、“撮影料金  １０００円”、“支払先  Ａ銀行”、“第３者の閲覧許可”、“第３者の再利用禁止”を送信する。【００６３】
撮影者の撮影装置１の被撮影者情報受信部１４は、被撮影者情報を受信し、受信した被撮影者情報が撮影者に提示される。本例では、被撮影者情報である“肖像権ＩＤ    １２３”、“撮影許可”、“撮影料金  １０００円”、“支払先  Ａ銀行”、“第３者の閲覧許可”、“第３者の再利用禁止”が表示される。【００６４】
撮影者は、提示された被撮影者情報に基づいて、撮影条件に合致するように撮影条件を変更する。変更された撮影情報は、“撮影者  ＡＡ  太郎”、“住所  東京都〜”、“撮影方法  正面から撮影”、“肖像権ＩＤ    １２３”、“撮影許可”、“撮影料金  １０００円”、“支払先  Ａ銀行”、“第３者の閲覧許可”、“第３者の再利用禁止”となり、この撮影情報は撮影情報保存部１５に保存される。尚、保存される撮影情報を、再度、確認のために被撮影者端末２に送信するようにしても良い。【００６５】
撮影情報が保存されると、撮影者は撮影情報に基づいた撮影を行う。このとき、撮影情報保存部１５に保存された撮影情報と同様な情報を撮影画像に付加して保存するようにしても良い。【００６６】
このように、本実施の形態における撮影管理システムでは、撮影される被撮影者（被写体）に、撮影に先立って撮影情報が通知されるので、被撮影者は、自分が撮影されようとしていることや、どのように撮影されようとしているのかを確認することができる。また、被撮影者に通知される撮影情報には、撮影者の個人情報や、撮影方法等も含まれるので、肖像権の管理や、撮影料金の請求等にも活用することができる。【００６７】
尚、上述した実施の形態では、撮影情報生成部１１、撮影情報保存部１２、撮影情報送信部１３、被撮影者情報受信部１４、表示部１５を撮影装置１に備えるように構成したが、それらの一部又は全部で構成される端末を、撮影装置１とは別に設けても良い。【００６８】
また、上述した実施の形態では、撮影装置１と被撮影者端末２との通信は無線LAN通信機能を用いて実現したが、これに限られない。例えば、撮影情報送信部１３や、被撮影者情報送信部２２を、RFIDを用いて構成するようにしても良い。また、マーク（二次元コード、バーコード、文字列）を被撮影者に貼り、撮影装置１側でマークを読み取り、そのマークに含まれている電話番号を検出し、撮影者の撮影装置から、指定の電話番号に接続し、撮影情報を送信するように構成しても良い。【００６９】
また、撮影情報や被撮影者情報の一部または全部を、一時的に外部のサーバに保存し、その後サーバから撮影者情報や被撮影者情報をダウンロードして閲覧するように構成しても良い。この場合、撮影者の撮影装置から被撮影者の被撮影者端末へ、又は、被撮影者の被撮影者端末から撮影者の撮影装置へ送信される情報は、撮影者又は被撮影者を識別する識別情報が送信され、この識別情報によりサーバにアクセスするように構成される。【００７０】
更に、被撮影者は、撮影者から取得した撮影情報の希望条件うち、承諾できない条件のみを被撮影者情報として提供するようにしてもよい。【００７１】
第２の実施の形態を説明する。【００７２】
第２の実施の形態では、第１の実施の形態の構成に加えて、撮影料金の管理を行う管理サーバを設けたことを特徴とする。【００７３】
図３は第２の実施の形態の構成を示すブロック図である。【００７４】
図３に示される如く、第２の実施の形態の撮影管理システムは、第１の実施の形態の構成に加えて、撮影料金の管理を行う管理サーバ３を有する。この管理サーバ３は、撮影装置１の撮影情報を取得し、この撮影情報に基づいて、課金を管理する課金管理部３１を備える。【００７５】
撮影装置１は、管理サーバとの通信を行う送受信の機能を有し、撮影情報保存部１２に保存されている撮影情報を管理サーバ３に送信する。尚、撮影装置１はかならずしも通信機能を備える必要はなく、保存した撮影情報を、他の通信手段により管理サーバ３にアップするようにしても良い。【００７６】
課金管理部３１は、撮影装置１から撮影情報を取得し、この撮影情報に含まれる課金情報や、肖像権に関する情報を参照して、課金を管理する。課金方法としては、クレジットカード、電子マネー、銀行振り込み、エスクローシステム、キャリアやISP事業者による代行などが考えられる。【００７７】
第３の実施の形態を説明する。【００７８】
図４は第３の実施の形態の管理システムの構成図である。【００７９】
第３の実施の形態の管理システムは、第２の実施の形態の管理システムの構成に加えて、管理サーバ３は、撮影画像を保存する撮影画像保存部３２と、撮影画像の利用状況を監視する利用監視部３３とを備える。【００８０】
撮影画像保存部３２は、撮影装置１により撮影された撮影画像が保存され、外部からアクセスしてきた利用者に、保存されている撮影画像を、利用監視部３３を介して送信する。撮影画像の保存方法であるが、本実施の形態では、撮影装置１は、管理サーバとの通信を行う送受信の機能を有し、撮影部１６に保存されている撮影画像を管理サーバ３に送信するように構成しているが、これに限ることなく、撮影装置１はかならずしも通信機能を備える必要はなく、保存した撮影画像を、他の通信手段により管理サーバ３にアップするようにしても良い。【００８１】
利用監視部３３は、撮影画像保存部３２に保存されている撮影画像の閲覧や利用の為のアクセスを監視し、閲覧や利用に先立ってその撮影画像の利用条件をアクセス者に対して提示するものである。【００８２】
ここで、利用条件とは、撮影画像の閲覧料金や、撮影画像の利用（例えば、撮影画像のダウンロードによる再利用等）するためにかかる料金やその有効期間、撮影画像の配布制限等である。これらの条件は、撮影装置１から送信される撮影情報に基づいて決定される。撮影情報には、上述したように、カメラパラメータ等の撮影方法のみならず、撮影した撮影画像の第３者への利用条件（第３者への撮影画像の公開の許可又は不許可、撮影画像を利用する利用料金、撮影画像の配布制限等）が含まれている。この第３者への利用条件は、被撮影者情報に含まれる利用条件を反映したものになっており、その結果、アクセス者に対して提示される利用条件も、撮影者及び被撮影者の双方の条件が反映されたものとなる。【００８３】
このようにして、利用条件が利用者に提示され、利用者が納得すれば、課金管理部３１により利用料金を清算が行われる。支払い方法は、クレジットカード、電子マネー、銀行振り込み、エスクローシステム、キャリアやISP事業者による代行などが考えられる。尚、撮影情報の中に、利用料金の中には、撮影者（例えば、著作権使用料）と被撮影者（肖像権料）とが含まれる条件がある場合、利用者は直接撮影者に著作権使用料を支払い、撮影者は肖像権料を被撮影者に渡すという代金処理が考えられるが、利用料金はいったん管理サーバ３が回収し、撮影者に著作権料、被撮影者に肖像権料がそれぞれ分配され、サーバ事業者は手数料を得るという処理もある。【００８４】
また、画像中に含まれる衣服などに商品データを被撮影者情報に含め、画像利用者が当該商品データを契機に商品購入につながった場合、商品販売業者が撮影者および被撮影者に報酬を支払うことが考えられる。管理サーバ３が利用者の購入行動をトレースし、商品販売業者から報酬料金を回収し、撮影者に著作権料相当、被撮影者に肖像権料相当がそれぞれ分配され、サーバ事業者は手数料を得るという処理もある。【００８５】
また、撮影画像保存部３２に保存される撮影画像を暗号化しておき、課金管理部３１が利用者からの入金を確認後、利用監視部３３がその撮影画像の復号鍵を送信するように構成しても良い。【００８６】
更に、図５に示す如く、被撮影者端末２の被撮影者情報送信部２２からの利用許可通知を、撮影画像と共に撮影画像保存部３２に保存しておき、利用許可通知のない撮影画像は利用させないようにすることで、より一層、被撮影者を保護することも可能である。
【図１】
2007116736.tif 000003
【図２】
2007116736.tif 000004
【図３】
2007116736.tif 000005
【図４】
2007116736.tif 000006
【図５】
2007116736.tif 000007
【手続補正書】
【提出日】平成20年5月30日(2008.5.30)
【手続補正１】
【補正対象書類名】特許請求の範囲
【補正対象項目名】全文
【補正方法】変更
【補正の内容】
【特許請求の範囲】
【請求項１】
撮影管理システムであって、
撮影者に保持される撮影者端末と、被撮影者又は被写体に保持される被撮影者端末とを有し、
前記撮影者端末は、
被撮影者又は被写体の撮影に関する撮影情報を生成する撮影情報生成手段と、
前記被撮影者端末に前記撮影情報を送信する撮影情報送信手段と、
前記被撮影者又は被写体に関する被撮影者情報を受信する手段と、
前記受信した被撮影者情報を提示する提示手段と、
前記受信した被撮影者情報に基づいて、前記撮影情報を変更する変更手段と、
前記変更された撮影情報を保存する撮影情報保存手段と
を有し、
前記被撮影者端末は、
前記撮影情報を受信する撮影情報受信手段と、
前記受信した撮影情報を提示する提示手段と、
前記被撮影者情報を、前記撮影者端末に送信する被撮影者情報送信手段と
を有することを特徴とする撮影管理システム。
【請求項２】
（削除）
【請求項３】
撮影画像の閲覧利用サービスを提供する画像管理装置を含み、
前記画像管理装置は、撮影画像を閲覧利用者しようとする者に対し、撮影画像の利用条件をアクセス者に対して提示する手段と、前記利用条件に基づいて、撮影画像の公開又は利用の制限を管理する制限管理手段とを有することを特徴とする請求項１に記載の撮影管理システム。
【請求項４】
前記制限管理手段は、画像閲覧利用者と、撮影者及び被撮影者との間で、撮影画像の利用に基づいた料金の授受を仲介、管理するように構成されていることを特徴とする請求項３に記載の撮影管理システム。
【請求項５】
前記制限管理手段は、画像閲覧利用者の料金の支払い情報に基づき、撮影画像の公開又は利用の制限を管理する利用に基づいた課金を行うように構成されていることを特徴とする請求項３又は請求項４に記載の撮影管理システム。
【請求項６】
（削除）
【請求項７】
被撮影者又は被写体に保持される被撮影者端末に被写体の撮影に関する撮影情報を提示する為の撮影端末であって、
被写体の撮影に関する撮影情報を生成する撮影情報生成手段と、
被撮影者の端末に前記撮影情報を送信する撮影情報送信手段と、
送信されてくる被撮影者又は被写体に関する被撮影者情報を受信する手段と、
前記受信した被撮影者情報を提示する提示手段と、
前記受信した被撮影者情報に基づいて、前記撮影情報を変更する変更手段と、
前記変更された撮影情報を保存する撮影情報保存手段と
を有することを特徴とする撮影端末。
【請求項８】
（削除）
【請求項９】
前記撮影情報を、ネットワークに接続されたサーバに送信する手段を有することを特徴とする請求項７に記載の撮影端末。
【請求項１０】
被撮影者端末であって、
撮影者から送信されてくる、被撮影者又は被写体の撮影に関する撮影情報を受信する撮影情報受信手段と、
前記受信した撮影情報を提示する提示手段と、
被撮影者又は被写体に関する被撮影者情報を、前記撮影者の撮影者端末に送信する被撮影者情報送信手段と
を有することを特徴とする被撮影者端末。
【請求項１１】
（削除）
【請求項１２】
撮影管理方法であって、
撮影者の端末が、被撮影者又は被写体の撮影に関する撮影情報を生成し、この撮影情報を被撮影者の端末に送信する処理と、
前記被撮影者の端末が、前記撮影情報を受信し、前記受信した撮影情報を確認する処理と、
前記被撮影者の端末が、被撮影者又は被写体に関する被撮影者情報を、前記撮影者の端末に送信する処理と、
前記撮影者の端末が、前記被撮影者情報を受信し、前記被撮影者情報に基づいて変更された撮影情報を変更し、変更した撮影情報を保存する処理と
を有することを特徴とする撮影管理方法。
【請求項１３】
（削除）
【請求項１４】
被撮影者又は被写体に保持される被撮影者端末に被写体の撮影に関する撮影情報を提示する為の撮影管理プログラムであって、
被写体の撮影に関する撮影情報を生成する処理と、
被撮影者の端末に前記撮影情報を送信する処理と
送信されてくる被撮影者又は被写体に関する被撮影者情報を受信する処理と、
前記受信した被撮影者情報を提示する処理と、
前記被撮影者情報に基づいて変更された撮影情報を変更する処理と、
前記変更された撮影情報を保存する処理と
を情報処理装置に実行させることを特徴とする撮影管理プログラム。
【請求項１５】
（削除）
【請求項１６】
前記撮影情報を、ネットワークに接続されたサーバに送信する処理を情報処理装置に実行させることを特徴とする請求項１４に記載の撮影管理プログラム。
【請求項１７】
撮影管理プログラムであって、
撮影者から送信されてくる、被撮影者又は被写体の撮影に関する撮影情報を受信する処理と、
前記受信した撮影情報を提示する処理と、
被撮影者又は被写体に関する被撮影者情報を、前記撮影者端末に送信する処理と
を情報処理装置に実行させることを特徴とする撮影管理プログラム。
【国際調査報告】
2007116736.tif 000008
2007116736.tif 000009
2007116736.tif 000010
2007116736.tif 000011